【手続補正書】
【提出日】平成27年12月2日(2015.12.2)
【手続補正１】
【補正対象書類名】特許請求の範囲
【補正対象項目名】全文
【補正方法】変更
【補正の内容】
【特許請求の範囲】
【請求項１】
通信システムにおいて複数のマルチキャストストリームを複数のターゲットユーザ機器UEに配布しているアプリケーションサーバ（５５０）を操作する方法であって、
第1のデータレートを有する第1のマルチキャストストリームを送信するための第1のマルチキャストエリア、前記第1のデータレートとは異なる第2のデータレートを有する第2のマルチキャストストリームを送信するための第2のマルチキャストエリア、および前記第1のマルチキャストストリームと前記第2のマルチキャストストリームの両方を送信するための前記第2のマルチキャストエリアと重複する第3のマルチキャストエリアを決定するステップ（９１５Ａ）と、
前記第1のマルチキャストストリームに関連する第1のセットのデータパケットを取得するステップ（９００Ａ）と、
前記第2のマルチキャストストリームに関連する第2のセットのデータパケットを取得するステップ（９００Ａ）と、
前記第1および第3のマルチキャストエリア内で送信するために、前記第1のセットのデータパケットをインターネットプロトコルIPマルチキャスト送信を管理するように構成されたマルチキャストネットワーク管理ノードに配信するステップ（１１００Ａ、１１００Ｃ）と、
多重化ストリームマルチプレクサに、前記第2および第3のマルチキャストエリア内で送信するための単一の多重化マルチキャストストリームに多重化されるべき前記第1および第2のセットのデータパケットを配信するステップであって、前記単一の多重化マルチキャストストリームが、前記第1および/または第2のデータレートよりも高い第3のデータレートを有する、ステップ（１１００Ａ、１１０５Ａ、１１００Ｃ）と
を含む方法。
【請求項２】
前記第3のマルチキャストエリアが、前記第1のマルチキャストエリアと、前記第1のマルチキャストエリアと重複する前記第2のマルチキャストエリアとの間の境界領域に対応する、請求項1に記載の方法。
【請求項３】
前記単一の多重化マルチキャストストリームが、前記第3のデータレートで前記第2および第3のマルチキャストエリアで提供されて、前記第3のマルチキャストエリアに近接したターゲットUEによる前記単一の多重化マルチキャストストリームのソフト合成を可能にし、
前記第1のマルチキャストストリームが前記第1のデータレートで前記第1および第3のマルチキャストエリアで提供されて、前記第3のマルチキャストエリアに近接したターゲットUEによる前記単一の多重化マルチキャストストリームのソフト合成を可能にする、
請求項2に記載の方法。
【請求項４】
前記第2および第3のマルチキャストエリアが、より高いデータレートのマルチキャストエリアに対応し、
前記第1のマルチキャストエリアが、より低いデータレートのマルチキャストエリアに対応する、
請求項1に記載の方法。
【請求項５】
前記第1のマルチキャストストリームが、データレートに関して前記第2のマルチキャストストリームと比較すると、前記単一の多重化マルチキャストストリームのより小さい部分を占める、請求項1に記載の方法。
【請求項６】
前記第1および第2のマルチキャストストリームが、共通のマルチキャストサービスの低データレートバージョンおよび高データレートバージョンにそれぞれ対応する、請求項1に記載の方法。
【請求項７】
前記共通のマルチキャストサービスが、前記第1、第2および第3のマルチキャストエリアで搬送されている発展型マルチメディアブロードキャスト/マルチキャストサービス(E-MBMS)サービスである、請求項6に記載の方法。
【請求項８】
前記第1および第2のマルチキャストストリームが異なるマルチキャストサービスに対応する、請求項1に記載の方法。
【請求項９】
第1および第2のマルチキャストサービスが、発展型マルチメディアブロードキャスト/マルチキャストサービスE-MBMSサービスである、請求項8に記載の方法。
【請求項１０】
前記マルチキャストネットワーク管理ノードが、ブロードキャストマルチキャストサービスセンタBM-SCに対応する、請求項1に記載の方法。
【請求項１１】
前記第1のデータレートが前記第2のデータレートよりも低い、請求項1に記載の方法。
【請求項１２】
通信システムにおいて複数のマルチキャストストリームを複数のターゲットユーザ機器(UE)に配布するように構成されたアプリケーションサーバであって、
第1のデータレートを有する第1のマルチキャストストリームを送信するための第1のマルチキャストエリア、前記第1のデータレートとは異なる第2のデータレートを有する第2のマルチキャストストリームを送信するための第2のマルチキャストエリア、および前記第1のマルチキャストストリームと前記第2のマルチキャストストリームの両方を送信するための前記第2のマルチキャストエリアと重複する第3のマルチキャストエリアを決定するための手段と、
前記第1のマルチキャストストリームに関連する第1のセットのデータパケットを取得するための手段と、
前記第2のマルチキャストストリームに関連する第2のセットのデータパケットを取得するための手段と、
前記第1および第3のマルチキャストエリア内で送信するために、前記第1のセットのデータパケットをインターネットプロトコルIPマルチキャスト送信を管理するように構成されたマルチキャストネットワーク管理ノードに配信するための手段と、
多重化ストリームマルチプレクサに、前記第2および第3のマルチキャストエリア内で送信するための単一の多重化マルチキャストストリームに多重化されるべき前記第1および第2のセットのデータパケットを配信するための手段であって、前記単一の多重化マルチキャストストリームが、前記第1および/または第2のデータレートよりも高い第3のデータレートを有する、手段と
を備えるアプリケーションサーバ。
【請求項１３】
通信システムにおいて複数のマルチキャストストリームを複数のターゲットユーザ機器UEに配布するように構成されたアプリケーションサーバによって実行されると、前記アプリケーションサーバに動作を実行させる、記憶された命令を含む非一時的コンピュータ可読記録媒体であって、前記命令が、
前記アプリケーションサーバに、第1のデータレートを有する第1のマルチキャストストリームを送信するための第1のマルチキャストエリア、前記第1のデータレートとは異なる第2のデータレートを有する第2のマルチキャストストリームを送信するための第2のマルチキャストエリア、および前記第1のマルチキャストストリームと前記第2のマルチキャストストリームの両方を送信するための前記第2のマルチキャストエリアと重複する第3のマルチキャストエリアを決定させるための少なくとも1つの命令と、
前記アプリケーションサーバに、前記第1のマルチキャストストリームに関連する第1のセットのデータパケットを取得させるための少なくとも1つの命令と、
前記アプリケーションサーバに、前記第2のマルチキャストストリームに関連する第2のセットのデータパケットを取得させるための少なくとも1つの命令と、
前記アプリケーションサーバに、前記第1および第3のマルチキャストエリア内で送信するために、前記第1のセットのデータパケットをインターネットプロトコルIPマルチキャスト送信を管理するように構成されたマルチキャストネットワーク管理ノードに配信させるための少なくとも1つの命令と、
前記アプリケーションサーバに、多重化ストリームマルチプレクサに、前記第2および第3のマルチキャストエリア内で送信するための単一の多重化マルチキャストストリームに多重化されるべき前記第1および第2のセットのデータパケットを配信させるための少なくとも1つの命令であって、前記単一の多重化マルチキャストストリームが、前記第1および/または第2のデータレートよりも高い第3のデータレートを有する、少なくとも1つの命令と
を含む非一時的コンピュータ可読記録媒体。